(57)【要約】【課題】外部からの湿気の進入を抑制する画像表示媒体を提供することである。【解決手段】画像表示媒体は、画像を表示する表示層と、前記表示層を挟んで対向配置された第１および第２の支持基板と、前記第１の支持基板の前記表示層側の面上に設けられた透光性を有する第１の電極と、前記第１の支持基板の前記表示層側の面上に設けられた透光性および防湿性を有する第１の防湿層と、前記第２の支持基板の前記表示層側の面上に設けられた第２の電極と、前記第２の支持基板の前記表示層の反対側の面上に設けられた防湿性を有する第２の防湿層と、を有する。【選択図】図５
2008015427.tif 000002
【特許請求の範囲】
【請求項１】
画像を表示する表示層と、
前記表示層を挟んで対向配置された第１および第２の支持基板と、
前記第１の支持基板の前記表示層側の面上に設けられた透光性を有する第１の電極と、
前記第１の支持基板の前記表示層側の面上に設けられた透光性および防湿性を有する第１の防湿層と、
前記第２の支持基板の前記表示層側の面上に設けられた第２の電極と、
前記第２の支持基板の前記表示層の反対側の面上に設けられた防湿性を有する第２の防湿層と、
を備えたことを特徴とする画像表示媒体。
【請求項２】
前記第２の防湿層は、アルミニウムを含んで構成されることを特徴とする請求項１に記載の画像表示媒体。
【請求項３】
前記第２の電極、および前記第２の防湿層は、アルミニウムを含んで構成されることを特徴とする請求項１に記載の画像表示媒体。
【請求項４】
前記第２の防湿層は、１５μｍ以上の厚さを有することを特徴とする請求項１に記載の画像表示媒体。
【請求項５】
前記第２の支持基板の前記表示層側の面上に、前記第２の電極の外側に前記第２の電極と所定の間隔の隙間をおいて設けられた第２の支持基板用外枠部と、
前記第２の電極と前記第２の支持基板用外枠部の隙間における、前記表示層と前記第２の支持基板に挟まれた部分に設けられ、前記表示層と前記第２の支持基板を接着する第２の支持基板用接着層と、
を備えたことを特徴とする請求項１に記載の画像表示媒体。
【請求項６】
前記第２の支持基板用接着層は、防湿性を有することを特徴とする請求項５に記載の画像表示媒体。
【請求項７】
前記第２の支持基板用接着層は、ウレタン系樹脂、エポキシ系樹脂、およびポリエステル系樹脂のうち、少なくとも１つを含んで構成されることを特徴とする請求項６に記載の画像表示媒体。
【請求項８】
前記第２の電極、および前記第２の支持基板用外枠部は、アルミニウムを含んで構成されることを特徴とする請求項５に記載の画像表示媒体。
【請求項９】
前記第１の支持基板の前記表示層側の面上に、前記第１の電極の外側に前記第１の電極と所定の間隔の隙間をおいて設けられた第１の支持基板用外枠部と、
前記第１の電極と前記第１の支持基板用外枠部の隙間における、前記表示層と前記第１の支持基板に挟まれた部分に設けられ、前記表示層と前記第１の支持基板を接着する第１の支持基板用接着層と、
を備えたことを特徴とする請求項１に記載の画像表示媒体。
【発明の詳細な説明】
【技術分野】
【０００１】
本発明は、画像表示媒体に関する。
【背景技術】
【０００２】
従来の画像表示装置として、パネルから引き出された端子電極上に、防湿コーティング層を介して防湿板を配することで、端子電極を外気中の湿気や不純物から確実に遮断する画像表示装置が報告されている（例えば、特許文献１参照）。
【特許文献１】特開平１０−１７０９４２号公報
【発明の開示】
【発明が解決しようとする課題】
【０００３】
本発明の目的は、外部からの湿気の進入を抑制する画像表示媒体を提供することである。
【課題を解決するための手段】
【０００４】
上記目的を達成するため、本発明の一態様は、以下の画像表示媒体を提供する。
【０００５】
［１］画像を表示する表示層と、前記表示層を挟んで対向配置された第１および第２の支持基板と、前記第１の支持基板の前記表示層側の面上に設けられた透光性を有する第１の電極と、前記第１の支持基板の前記表示層側の面上に設けられた透光性および防湿性を有する第１の防湿層と、前記第２の支持基板の前記表示層側の面上に設けられた第２の電極と、前記第２の支持基板の前記表示層の反対側の面上に設けられた防湿性を有する第２の防湿層と、を備えたことを特徴とする画像表示媒体。
【０００６】
［２］前記第２の防湿層は、アルミニウムを含んで構成されることを特徴とする［１］に記載の画像表示媒体。
【０００７】
［３］前記第２の電極、および前記第２の防湿層は、アルミニウムを含んで構成されることを特徴とする［１］に記載の画像表示媒体。
【０００８】
［４］前記第２の防湿層は、１５μｍ以上の厚さを有することを特徴とする［１］に記載の画像表示媒体。
【０００９】
［５］前記第２の支持基板の前記表示層側の面上に、前記第２の電極の外側に前記第２の電極と所定の間隔の隙間をおいて設けられた第２の支持基板用外枠部と、前記第２の電極と前記第２の支持基板用外枠部の隙間における、前記表示層と前記第２の支持基板に挟まれた部分に設けられ、前記表示層と前記第２の支持基板を接着する第２の支持基板用接着層と、を備えたことを特徴とする［１］に記載の画像表示媒体。
【００１０】
［６］前記第２の支持基板用接着層は、防湿性を有することを特徴とする［５］に記載の画像表示媒体。
【００１１】
［７］前記第２の支持基板用接着層は、ウレタン系樹脂、エポキシ系樹脂、およびポリエステル系樹脂のうち、少なくとも１つを含んで構成されることを特徴とする［６］に記載の画像表示媒体。
【００１２】
［８］前記第２の電極、および前記第２の支持基板用外枠部は、アルミニウムを含んで構成されることを特徴とする［５］に記載の画像表示媒体。
【００１３】
［９］前記第１の支持基板の前記表示層側の面上に、前記第１の電極の外側に前記第１の電極と所定の間隔の隙間をおいて設けられた第１の支持基板用外枠部と、前記第１の電極と前記第１の支持基板用外枠部の隙間における、前記表示層と前記第１の支持基板に挟まれた部分に設けられ、前記表示層と前記第１の支持基板を接着する第１の支持基板用接着層と、を備えたことを特徴とする［１］に記載の画像表示媒体。
【発明の効果】
【００１４】
請求項１の画像表示媒体によれば、外部からの湿気の進入を抑制することができる。
請求項２の画像表示媒体によれば、防湿性をより高めることができる。
請求項３の画像表示媒体によれば、材料の共用化により製造を容易化することができる。
請求項４の画像表示媒体によれば、第２の防湿層のピンホールの発生を抑制し、導電性および防湿性を確保することができる。
請求項５の画像表示媒体によれば、防湿性を有したままで、接着層による画像表示媒体表面の凹凸の発生を抑えることができる。
請求項６および７の画像表示媒体によれば、防湿性をより高めることができる。
請求項８の画像表示媒体によれば、材料の共用化により製造を容易化することができる。
請求項９の画像表示媒体によれば、防湿性をより高めることができる。
【発明を実施するための最良の形態】
【００１５】
〔第１の実施の形態〕
（画像表示媒体の構成）
図１は、本発明の第１の実施の形態に係る画像表示媒体の斜視図である。この画像表示媒体１は、液晶等からなる表示層２と、表示層２を挟んで対向配置された、表面基板３および背面基板４と、表面基板３および背面基板４の上にそれぞれ形成された外部と電気的な接続を行うための表面取出電極３３および背面取出電極４３と、を有して概略構成される。なお、画像表示媒体１全体を覆うように熱可塑性フィルム（図示しない）を形成してもよい。
【００１６】
本実施の形態においては、画像表示媒体１を光書き込み型の電子ペーパーであるとして説明する。光書き込み型の電子ペーパーの場合、表示層２は、図示しないが、印加される電圧に応じて反射率（透過率）が変化する液晶層、光を吸収する光吸収層、光の照射によって抵抗値が小さくなる光導電層を表示面側から順に積層した構成、または、光吸収層、光導電層、隔離層、液晶層を表示面側から順に積層した構成した構成を有する。なお、液晶層は、例えば、コレステリック液晶が封入されたマイクロカプセルを有して構成される。また、光導電層は、電荷輸送層と、この電荷輸送層の両側に積層された一対の電荷発生層とからなる。これにより、液晶層への交流電圧の印加が可能となるため、液晶層の劣化を抑えることができ、駆動電圧の低電圧化、電子ペーパーの高寿命化を実現することができる。
【００１７】
表面取出電極３３、背面取出電極４３は、例えば、厚さ１４０μｍのＮｉ等の金属からなる。
【００１８】
図２（ａ）、（ｂ）は、それぞれ表面基板の上面図および下面図である。図２（ａ）は、表面基板３および表面基板３に接続された表面取出電極３３を内側（表示層２側）から見た図であり、図２（ｂ）は、その反対側から見た図である。
【００１９】
表面基板３は、表面支持基板３１と、表面支持基板３１上に形成された水蒸気バリア層３６と、水蒸気バリア層３６上に形成された表面電極３２と、表面支持基板３１上の表面電極３２の外側に形成された表面接着層３４を有して構成される。
【００２０】
表面支持基板３１は、例えば、厚さ１００μｍのポリエチレンテレフタレート（ＰＥＴ）等の透明な樹脂材料からなる。
【００２１】
透明な水蒸気バリア層３６は、例えば、窒化シリコン等の防湿性を有する透明材料を表面支持基板３１の内側（表示層２側）に蒸着して形成され、表面基板３を通して画像表示媒体１の内部に湿気が進入することを抑制している。
【００２２】
表面電極３２は、例えば、厚さ５０ｎｍの酸化インジウム錫（ＩＴＯ）、酸化亜鉛等からなる透明電極である。表面電極３２は、表面支持基板３１上にエッチング等によりパターニングして形成され、表面支持基板３１の外縁よりも内側に設けられるため、表面電極３２の外縁と表面支持基板３１の外縁との間には間隔がある。
【００２３】
表面接着層３４は、ウレタン系樹脂、エポキシ系樹脂、およびポリエステル系樹脂等の防湿性のある材料から構成されることが好ましく、例えば、ビスフェノールＦ型エポキシ樹脂にシリカを混ぜたものを用いることができる。表面接着層３４は、表示層２と表面基板３を接着する。
【００２４】
表面取出電極３３は、表面電極３２に電気的に接続され、画像書込装置等の外部機器（図示しない）を画像表示媒体１に接続する際に、外部機器のコネクタと表面電極３２を導通する。
【００２５】
図３（ａ）、（ｂ）は、それぞれ背面基板の上面図および下面図である。図３（ａ）は、背面基板４および接続された背面取出電極４３を内側（表示層２側）から見た図であり、図３（ｂ）は、これをその反対側から見た図である。
【００２６】
背面基板４は、背面支持基板４１と、背面支持基板４１上に形成された背面電極４２と、背面電極４２の表面上に形成された背面接着層４４と、背面電極４２の外側（背面電極４２の形成された面と反対の面）の表面上に形成された防湿層４６と、を有して構成される。
【００２７】
背面支持基板４１は、例えば、厚さ１００μｍの表面支持基板と同様の材料を用いて形成することができるが、不透明な材料であってもよい。
【００２８】
背面電極４２は、例えば、厚さ１５μｍのアルミニウム、銅、およびこれらを含む化合物、混合物等の防湿性を有する導電性材料からなる。アルミニウムの膜を１５μｍよりも薄くした場合、ピンホールが発生して、電極としての機能および防湿性を損なうおそれがある。背面電極４２は、表面電極３２よりも大きな面積を有し、表示層２と重なる領域において、背面支持基板４１の外縁にほぼ一致する部分にまで形成されることが好ましい。
【００２９】
防湿層４６は、例えば、厚さ２０μｍのアルミニウム、銅、およびこれらを含む化合物、混合物等の防湿性を有する導電性材料からなり、背面支持基板４１とほぼ同じ面積で形成されることが好ましい。厚さは１５μｍ以上であれば、ピンホールの発生が抑えられ、さらに防湿性を高めるために、２０μｍ程度とすることが好ましい。防湿層４６が設けられることにより、背面基板４を通して画像表示媒体１の内部に湿気が進入することが抑制される。
【００３０】
背面接着層４４は、表面接着層３４と同様の材料を用いて形成することができ、表示層２と背面基板４を接着する。
【００３１】
背面取出電極４３は、背面電極４２に電気的に接続され、画像書込装置等の外部機器（図示しない）を画像表示媒体１に接続する際に、外部機器のコネクタと背面電極４２を導通する。
【００３２】
図４は、画像表示媒体の上面図であり、図５は、図４の鎖線Ａ−Ａ’における切断面を図中の矢印の方向に見た断面図である。
【００３３】
表面基板３および背面基板４は、表面電極３２および背面基板４２が液晶層２側に位置する用にして対向して配置される。表面電極３２および背面基板４２は表示層２を挟んで位置し、画像表示媒体１に画像を書き込む際に、表面取出電極３３および背面取出電極４３を介して外部機器から電源を供給すると、表示層２に電圧を印可する。
【００３４】
背面接着層４４の存在により、背面基板４の対応する部分に凹凸が生じる。画像表示媒体１の凹凸をなくすためには、例えば、熱可塑性フィルム（図示しない）を、画像表示媒体１の表面が平坦になる厚さで画像表示媒体１全体を覆うように形成する。
【００３５】
防湿性を有する背面電極４２が、液晶層２とほぼ同じ大きさを有するため、画像表示媒体１の端部においても、表示層２と背面支持基板４１との間に背面電極４２が存在し、画像表示媒体１の端部において表示層２と背面支持基板４１との界面から湿気が進入することを抑制している。
【００３６】
〔第２の実施の形態〕
本発明の第２の実施の形態は、背面基板の構成において第１の実施の形態と異なる。なお、材料や他の部分の構成等、第１の実施の形態と同様の点については、説明を省略する。
【００３７】
図６（ａ）、（ｂ）は、それぞれ本発明の第２の実施の形態に係る背面基板の上面図および下面図である。図６（ａ）は、背面基板４および接続された背面取出電極４３を内側（表示層２側）から見た図であり、図６（ｂ）は、これをその反対側から見た図である。
【００３８】
背面基板４は、背面支持基板４１と、背面支持基板４１上に形成された背面電極４２および背面外枠部４５と、背面支持基板４１上の背面電極４２と背面外枠部４５との隙間に形成された背面接着層４４と、背面電極４２の外側（背面電極４２の形成された面と反対の面）の表面上に形成された防湿層４６と、を有して構成される。
【００３９】
背面電極４２は、背面支持基板４１よりも小さい面積を有し、背面支持基板４１の外縁の内側に形成される。
【００４０】
背面外枠部４５は、防湿性を有し、背面支持基板４１上の背面電極４２の外側に、背面電極４２と例えば２〜３ｍｍの間隔をおいて、例えば２〜３ｍｍの幅で形成される。背面外枠部４５は、表示層２と重なる領域において、背面支持基板４１の外縁にほぼ一致する部分にまで形成されることが好ましい。背面電極４２と背面外枠部４５は、１枚のアルミニウム膜等の材料をエッチング等によりパターニングして同時に形成することができる。
【００４１】
背面接着層４４は、背面支持基板４１上の背面電極４２と背面外枠部４５との隙間に形成され、表示層２と背面基板４を接着する。
【００４２】
図７は、画像表示媒体の断面図であり、図５に示した断面図に対応した位置の断面を示す。
【００４３】
背面電極４２と背面外枠部４５は、ほぼ同じ厚さ（例えば、１５μｍ）を有し、背面接着層４４は、これらと同じか、わずかに厚い厚さを有する。背面接着層４４の厚さが、背面電極４２および背面外枠部４５とほとんど変わらないため、背面基板４の凹凸の発生が抑制される。
【００４４】
防湿性を有する背面外枠部４５が、背面支持基板４１の外縁に設けられているため、画像表示媒体１の端部においても、表示層２と背面支持基板４１との間に背面外枠部４５が存在し、画像表示媒体１の端部において表示層２と背面支持基板４１との界面から湿気が進入することを抑制している。
【００４５】
〔第３の実施の形態〕
本発明の第３の実施の形態は、表面基板の構成において第２の実施の形態と異なる。なお、材料や他の部分の構成等、第２の実施の形態と同様の点については、説明を省略する。
【００４６】
図８（ａ）、（ｂ）は、それぞれ本発明の第３の実施の形態に係る表面基板の上面図および下面図である。図８（ａ）は、表面基板３および接続された表面取出電極３３を内側（表示層２側）から見た図であり、図８（ｂ）は、これをその反対側から見た図である。
【００４７】
表面基板３は、表面支持基板３１と、表面支持基板３１上に形成された水蒸気バリア層３６と、水蒸気バリア層３６上に形成された表面電極３２および表面外枠部３５と、水蒸気バリア層３６上の表面電極３２と表面外枠部３５との隙間に形成された表面接着層３４と、を有して構成される。
【００４８】
表面電極３２は、表面支持基板３１よりも小さい面積を有し、表面支持基板３１の外縁の内側に形成される。
【００４９】
表面外枠部３５は、防湿性を有し、表面支持基板３１上の表面電極３２の外側に、表面電極３２と例えば２〜３ｍｍの間隔をおいて、例えば２〜３ｍｍの幅で形成される。表面外枠部３５は、表示層２と重なる領域において、表面支持基板３１の外縁にほぼ一致する部分にまで形成されることが好ましい。表面電極３２と表面外枠部３５は、１枚の酸化インジウム錫（ＩＴＯ）、酸化亜鉛等の材料をエッチング等によりパターニングして同時に形成することができる。
【００５０】
表面接着層３４は、表面支持基板３１上の表面電極３２と表面外枠部３５との隙間に形成され、表示層２と表面基板３を接着する。
【００５１】
図９は、画像表示媒体の断面図であり、図５に示した断面図に対応した位置の断面を示す。
【００５２】
防湿性を有する背面外枠部４５が、背面支持基板４１の外縁に設けられているため、画像表示媒体１の端部においても、表示層２と背面支持基板４１との間に水蒸気バリア層３６に加えて背面外枠部４５が存在し、画像表示媒体１の端部において表示層２と背面支持基板４１との間から湿気が進入することをより強く抑制している。
【００５３】
なお、本発明は、上記各実施の形態に限定されず、発明の趣旨を逸脱しない範囲内において種々変形実施が可能である。また、発明の趣旨を逸脱しない範囲内において上記各実施の形態の構成要素を任意に組み合わせることができる。
【図面の簡単な説明】
【００５４】
【図１】本発明の第１の実施の形態に係る画像表示媒体の斜視図である。
【図２】（ａ）、（ｂ）は、それぞれ本発明の第１の実施の形態に係る表面基板の上面図および下面図である。
【図３】（ａ）、（ｂ）は、それぞれ本発明の第１の実施の形態に係る背面基板の上面図および下面図である。
【図４】本発明の第１の実施の形態に係る画像表示媒体の上面図である。
【図５】本発明の第１の実施の形態に係る画像表示媒体の断面図である。
【図６】（ａ）、（ｂ）は、それぞれ本発明の第２の実施の形態に係る背面基板の上面図および下面図である。
【図７】本発明の第２の実施の形態に係る画像表示媒体の断面図である。
【図８】（ａ）、（ｂ）は、それぞれ本発明の第３の実施の形態に係る表面基板の上面図および下面図である。
【図９】本発明の第３の実施の形態に係る画像表示媒体の断面図である。
【符号の説明】
【００５５】
１    画像表示媒体
２    表示層
３    表面基板
３１    表面支持基板
３２    表面電極
３３    表面取出電極
３４    表面接着層
３５    表面外枠部
３６    水蒸気バリア層
４    背面基板
４１    背面支持基板
４２    背面電極
４３    背面取出電極
４４    背面接着層
４５    背面外枠部
４６    防湿層
【図１】
2008015427.tif 000003
【図２】
2008015427.tif 000004
【図３】
2008015427.tif 000005
【図４】
2008015427.tif 000006
【図５】
2008015427.tif 000007
【図６】
2008015427.tif 000008
【図７】
2008015427.tif 000009
【図８】
2008015427.tif 000010
【図９】
2008015427.tif 000011